(57)【特許請求の範囲】
【請求項１】
外部装置から画像データを含む画像蓄積指令を受付ける蓄積指令受付手段と、
画像データを蓄積する画像蓄積手段と、
印字操作を受付ける印字操作受付手段と、
印字操作を行うユーザを特定するユーザ特定手段と、
前記蓄積指令受付手段で画像蓄積指令を受付けた場合、当該画像蓄積指令に含まれる画像データを前記画像蓄積手段に記憶するとともに、当該画像蓄積指令において指定された配布対象者を判別し、判別した配布対象者を画像データに対応させて記憶するように制御する記憶制御手段と、
前記印字操作受付手段で印字操作を受付けた場合、前記ユーザ特定手段で特定したユーザを配布対象者とする画像データを前記画像蓄積手段内で検索し、前記画像蓄積手段から当該ユーザを配布対象者とする画像データを全て抽出して印字出力するように制御する制御手段とを備えた画像形成装置。
【請求項２】
請求項１において、
ユーザ登録手段を更に備え、
前記画像蓄積指令は、配布対象者の情報として、ユーザ毎に予め割当てたユーザ識別情報を更に含み、
前記ユーザ登録手段は、所定形式の認証情報をユーザ識別情報に対応させて登録可能であり、
前記ユーザ特定手段は、認証情報の入力操作を受付けた場合、前記ユーザ登録手段の登録内容を参照し、受付けた認証情報に対応するユーザ識別情報を特定することを特徴とする画像形成装置。
【請求項３】
請求項１または２において、
前記記憶制御手段は、前記画像蓄積指令で指定された全ての配布対象者による印字出力の完了に伴って、当該画像蓄積指令に含まれる画像データを前記画像蓄積手段から消去することを特徴とする画像形成装置。
【請求項４】
請求項１〜３のいずれかにおいて、
前記画像蓄積手段における画像データの蓄積時間を計測する計時手段を更に備え、
前記記憶制御手段は、前記画像蓄積手段に所定時間以上蓄積している画像データを消去することを特徴とする画像形成装置。
【請求項５】
請求項１〜４のいずれかにおいて、
報知手段を更に備え、
前記制御手段は、所定のタイミングにおいて、前記画像蓄積手段にある画像データの印字出力が完了していない配布対象者の情報を前記報知手段によって報知するように制御することを特徴とする画像形成装置。
【請求項６】
画像蓄積指令を生成して外部装置に送信する端末装置であって、
画像蓄積指令の生成指示を受付ける生成指示受付手段と、
１または複数の配布対象者の指定を受付ける配布対象者受付手段と、
印字出力すべき画像データと前記配布対象者受付手段で受付けた配布対象者とを含む画像蓄積指令を生成する生成手段と、
前記生成手段で生成した画像蓄積指令を前記外部装置に送信する送信手段と、
前記配布対象者受付手段で配布対象者を受付けた状態において、前記生成指示受付手段で生成指示を受付けた場合、画像データと配布対象者とを含む画像蓄積指令を前記生成手段で生成させるとともに、生成した画像蓄積指令を前記送信手段で送信するように制御する制御手段とを備える端末装置。
【請求項７】
画像蓄積指令を生成して外部装置に送信するためのプログラムであって、
１または複数の配布対象者を指定して生成指示を受付けた場合、印字出力すべき画像データと配布対象者とを含む画像蓄積指令を生成するとともに、生成した画像蓄積指令を前記外部装置に送信する動作をコンピュータに実行させるためのプログラム。
【発明の詳細な説明】
【技術分野】
【０００１】
本発明は、外部装置から画像データを含む画像蓄積指令を受付けると、その画像データを蓄積し、印字操作を受付けると、蓄積している画像データを印字出力する画像形成装置と、その制御用の端末装置、通信プログラムとに関する。
【背景技術】
【０００２】
上記のような機能を有する画像形成装置の例として、親展機能を有したファクシミリ装置などがある。また、これと類似した機能を有する画像形成装置として、以下の特許文献１には、ネットワークによって秘密書類を配布できるネットワークプリンタが提案されている。
【０００３】
そのネットワークプリンタは、ネットワークによる配布に応じた印刷ジョブを受けたときに、配布先ユーザに対して、特定の配布情報を含む配布メールを伝達し、印刷指示に配布情報が含まれている場合に限り、印刷書類を出力させる構成とされ、配布先ユーザではない者による印刷書類の出力を防止するようになっている。
【特許文献１】特開２００１−２４９７７６号公開公報
【発明の開示】
【発明が解決しようとする課題】
【０００４】
しかし、特許文献１によるネットワークプリンタでは、印刷ジョブ毎に、印刷指示を受付けるようになっており、特定のユーザを配布先に指定した印刷ジョブが多数溜っている場合には、そのユーザは、全ての印刷ジョブに対して印刷指示を行わねばならず、手間がかかるという問題があった。また、特定の配布情報を含む配布メールがネットワークを通過するため、ネットワークの盗聴により、その配布情報が漏洩する虞もあった。本発明は、このような問題の解決を目的としたものである。
【課題を解決するための手段】
【０００５】
上記課題を解決するため、請求項１に記載している第１の発明は、外部装置から画像データを含む画像蓄積指令を受付ける蓄積指令受付手段と、画像データを蓄積する画像蓄積手段と、印字操作を受付ける印字操作受付手段と、印字操作を行うユーザを特定するユーザ特定手段と、蓄積指令受付手段で画像蓄積指令を受付けた場合、画像蓄積指令に含まれる画像データを画像蓄積手段に記憶するとともに、画像蓄積指令において指定された配布対象者を判別し、判別した配布対象者を画像データに対応させて記憶するように制御する記憶制御手段と、印字操作受付手段で印字操作を受付けた場合、ユーザ特定手段でユーザを配布対象者とする画像データを画像蓄積手段内で検索し、画像蓄積手段から当該ユーザを配布対象者とする画像データを全て抽出して印字出力するように制御する制御手段とを備えている。
【０００６】
請求項２に記載の発明は、請求項１において、ユーザ登録手段を更に備え、画像蓄積指令は、配布対象者の情報として、ユーザ毎に予め割当てたユーザ識別情報を含み、ユーザ登録手段は、所定形式の認証情報をユーザ識別情報に対応させて登録可能であり、ユーザ特定手段は、認証情報の入力操作を受付けた場合、ユーザ登録手段の登録内容を参照し、受付けた認証情報に対応するユーザ識別情報を特定することを特徴とする。
【０００７】
請求項３に記載の発明は、請求項１または２において、記憶制御手段は、画像蓄積指令で指定された全ての配布対象者による印字出力の完了に伴って、当該画像蓄積指令に含まれる画像データを画像蓄積手段から消去することを特徴とする。
【０００８】
請求項４に記載の発明は、請求項１〜３のいずれかにおいて、画像蓄積手段における画像データの蓄積時間を計測する計時手段を更に備え、記憶制御手段は、画像蓄積手段に所定時間以上蓄積している画像データを消去することを特徴とする。ここで、蓄積時間が所定時間に到達することに伴って画像データを消去するようにしてもよい。
【０００９】
請求項５に記載の発明は、請求項１〜４のいずれかにおいて、報知手段を更に備え、制御手段は、所定のタイミングにおいて、画像蓄積手段にある画像データの印字出力が完了していない配布対象者の情報を報知手段によって報知するように制御することを特徴とする。
【００１０】
請求項６に記載の第２の発明は、画像蓄積指令を生成して外部装置に送信する端末装置であって、画像蓄積指令の生成指示を受付ける生成指示受付手段と、１または複数の配布対象者の指定を受付ける配布対象者受付手段と、印字出力すべき画像データと配布対象者受付手段で受付けた配布対象者とを含む画像蓄積指令を生成する生成手段と、生成手段で生成した画像蓄積指令を外部装置に送信する送信手段と、配布対象者受付手段で配布対象者を受付けた状態において、生成指示受付手段で生成指示を受付けた場合、画像データと配布対象者とを含む画像蓄積指令を生成手段で生成させるとともに、生成した画像蓄積指令を送信手段で送信するように制御する制御手段とを備える。
【００１１】
請求項７に記載の第３の発明は、画像蓄積指令を生成して外部装置に送信するためのプログラムであって、１または複数の配布対象者を指定して生成指示を受付けた場合、印字出力すべき画像データと配布対象者とを含む画像蓄積指令を生成するとともに、生成した画像蓄積指令を前記外部装置に送信する動作をコンピュータに実行させる。
【発明の効果】
【００１２】
請求項１〜５によれば、印字操作受付手段で印字操作を受付けた場合、ユーザ特定手段で特定したユーザを配布対象者とする画像データを画像蓄積手段内で検索し、その全て抽出して印字出力するようにしている。従って、複数の画像蓄積指令により、そのユーザを配布対象者として指定した画像データが多数蓄積されている場合でも、１回の印字操作だけで、その全てを印字出力させることができるため、手間がかからない。
【００１３】
特に請求項２によれば、画像蓄積指令は、配布対象者の情報として、ユーザ毎に予め割当てたユーザ識別情報を含み、画像形成装置では、所定形式の認証情報をユーザ識別情報に対応させて登録しており、認証情報の入力操作を受付けた場合、その登録内容を参照して、受付けた認証情報に対するユーザ識別情報を特定する構成であり、画像蓄積指令には、認証情報が含まれていない。そのため、認証情報がネットワーク上を流れることがなく、盗聴に対する画像データのセキュリティが向上する。
【００１４】
特に請求項３によれば、記憶制御手段は、画像蓄積指令で指定された全ての配布対象者による印字出力の完了に伴って、当該画像蓄積指令に含まれる画像データを画像蓄積手段から消去するので、不要な画像データによって、画像蓄積手段の領域がいつまでも無駄に占有され続ける虞がなくなる。
【００１５】
特に請求項４によれば、記憶制御手段は、画像蓄積手段に所定時間以上蓄積している画像データを消去するので、印字出力される見込みのない画像データによって、画像蓄積手段の領域がいつまでも無駄に占有され続ける虞がなくなる。
【００１６】
特に請求項５によれば、メンテナンス等の所定のタイミングで、画像データの印字出力が完了していない配布対象者の情報を報知するので、管理者等が画像データを消去するなどの際、判断の目安として利用できる。
【００１７】
請求項６によれば、端末装置は、印字出力すべき画像データと配布対象者とを含む画像蓄積指令を生成するので、配布対象者ではない者による印刷書類の出力を防止することができる。
【００１８】
請求項７によれば、プログラムは、印字出力すべき画像データと配布対象者とを含む画像蓄積指令を生成するので、配布対象者ではない者による印刷書類の出力を防止することができる。
【発明を実施するための最良の形態】
【００１９】
以下、第１の発明を適用した画像形成装置と、第２の発明を適用した端末装置の例を図に従って説明する。
【実施例１】
【００２０】
図１は、実施例であるネットワークプリンタ１の概略構成を説明するブロック図で、本発明と特に関連しない構成要素は省略している。なお、本発明は、ネットワークプリンタには限られず、ファクシミリ複合機等にも適用できる。
【００２１】
このネットワークプリンタ１は、ブロック図に示すように、各部を制御するＭＰＵ等で構成される制御部１１と、認証手段１２を有する表示操作手段１３と、記録紙に画像データを印字出力する印字手段１４と、有線または無線のネットワークＮを通じて、端末装置から各種指令を受信する通信手段１５と、ネットワークプリンタ１を利用するユーザを登録するユーザ登録手段１６と、画像データを蓄積する画像蓄積手段１７とを備え、従来のネットワークプリンタと同様に、端末装置から画像印字指令を受付けると、その指令に含まれる画像データを画像蓄積手段１７に一時的に蓄積してから印字出力する基本機能を有している。
【００２２】
そして、更に、本発明の特徴的な機能として、外部装置から、画像蓄積指令を受付けると、その画像蓄積指令に含まれる画像データを一旦蓄積し、その後、所定の印字操作を受付けると、印字操作をしたユーザを配布対象者に指定している画像データを印字出力する予約印刷の機能を有している。
【００２３】
その機能を実現するため、思想的に云えば、上記構成において、通信手段１５は、外部装置から画像データを含む画像蓄積指令を受付ける蓄積指令受付手段として機能し、表示操作手段１３は、印字操作を受付ける印字操作受付手段として機能し、認証手段１２は、印字操作を行うユーザを特定するユーザ特定手段として機能する。また、制御部１１は、蓄積指令受付手段で画像蓄積指令を受付けた場合、画像蓄積指令に含まれる画像データを画像蓄積手段１７に記憶するとともに、画像蓄積指令において指定された配布対象者を判別し、判別した配布対象者を画像データに対応させて記憶するように制御する記憶制御手段、及び、印字操作受付手段で印字操作を受付けた場合、ユーザ特定手段で特定したユーザを配布対象者とする画像データを画像蓄積手段１７内で検索し、画像蓄積手段１７から当該ユーザを配布対象者とする画像データを全て抽出して印字出力するように制御する制御手段として機能する。
【００２４】
なお、ここでいう画像蓄積指令は、ＰＤＬ（Page Description Language）等によって記述されたファイルで、印字すべき複数ページの画像データと、その画像データの配布対象者を指定する情報とを含んでいる。なお、従来と同様な画像印字指令も、ＰＤＬ等によって記述されたファイルだが、配布対象の指定情報は含んでいない。
【００２５】
ここで、いくつかの構成要素についてより具体的に説明すると、表示操作手段１３は、液晶モニタやＬＥＤなどの表示手段や各種操作キーなどで構成され、そこに併設される認証手段１２は、例えば指紋を読取る生体認証装置などで構成される。しかしながら、認証手段１２は、指紋以外の生体情報を用いるもの、パスワードを入力するものでもよい。すなわち、本発明は、具体的な認証方法には限定されず、また、複数の認証方法を併用しても構わない。
【００２６】
印字手段１４は、カラー対応、モノクロ対応のいずれでもよく、従来と同様の構成のものを採用できる。
【００２７】
ユーザ登録手段１６は、フラッシュＲＯＭや、電源バックアップされたＳＲＡＭなどの書換可能な不揮発性メモリで構成され、そこに、指紋など所定形式の認証情報が、ユーザ識別情報（以下、ユーザＩＤという）に対応させて登録される。その手続では、予め設定されている管理者が、ネットワークプリンタ１に対して、ユーザ登録処理を実行して、各ユーザＩＤを設定したあと、ユーザ本人が、それぞれ指紋を記憶させるようにしてもよい。このようなユーザ登録がなされている場合、認証手段１２は、認証情報の入力操作を受付けたときに、ユーザ登録手段１６の登録内容を参照して、その認証情報に対応するユーザＩＤを特定することができる。なお、管理者によるユーザＩＤの設定は、ネットワークプリンタ１の表示操作手段１３を操作して行っても、ネットワークＮを通じて行ってもよい。後者のネットワークＮを通じて行う構成では、通信手段１５に、ユーザ登録を行う管理者用画面を提供するＷｅｂサーバ機能を付加すればよい。
【００２８】
画像蓄積手段１７は、ＤＲＡＭまたはハードディスクなどで構成され、画像印字指令や画像蓄積指令に含まれる画像データを一時的に蓄積する。特に、画像蓄積指令では、配布対象者のユーザＩＤの情報も、その画像データに対応させて、画像蓄積手段１７に記録するようにしてもよい。また、別構成として、画像蓄積手段１７とは別に、配布対象者を記憶する配布対象者記憶手段を設けておき、この配布対象者記憶手段によって、配布対象者のユーザＩＤを、画像蓄積手段１７中の特定の画像データへのポインタと共に記憶するようにしてもよい。この場合には、ポインタを介して、ユーザＩＤと画像データとが関連付けられる。このように、配布対象者のユーザＩＤの記憶場所や、画像データと、配布対象者のユーザＩＤとの関連付け方法は、多様な変形が可能なため、それを特に限定しない。
【００２９】
次いで、ネットワークプリンタ１の変形例を説明する。最初の変形例では、記憶制御手段は、画像蓄積指令で指定された全ての配布対象者による印字出力の完了に伴って、当該画像蓄積指令に含まれる画像データを画像蓄積手段１７から消去する。そのためには、各画像データの配布対象者として記録しているユーザＩＤに、印字出力の有無を示すフラグ等を付加し、印字出力させたときには、フラグをセットする処理など実行して識別できるようにすればよい。
【００３０】
更に別の変形例では、画像蓄積手段１７における画像データの蓄積時間を計測する計時手段を更に備え、記憶制御手段は、画像蓄積手段１７に所定時間以上蓄積している画像データを消去する。より具体的には、画像データに対応させて、その画像データを蓄積した日時を記録し、所定時間毎に、図１に示したリアルタイムクロック（ＲＴＣ１８）などを参照して、各画像データの蓄積日時からの経過時間を算出し、所定時間以上蓄積しているものを識別して削除する。すなわち、蓄積時間が所定時間に到達することに伴って画像データが消去される。なお、判断の基準となる所定時間は、管理者が予め設定しておけばよい。また、画像蓄積指令に、有効期限の日時データを更に含めておき、その有効期限を限度として蓄積する構成としてもよい。
【００３１】
更に別の変形例では、制御手段は、所定のタイミングで、画像データを印字出力させていない配布対象者の情報を報知するようにしてもよい。より具体的には、表示操作手段１３が備える表示手段などを報知手段として利用し、管理者が所定の操作、例えば、メンテナンス処理として、蓄積している画像データの一部を消去させるような操作をしたときなどに、各画像データの属性情報、つまり画像データの名称、サイズ、蓄積日時などと共に、その画像データを印字出力させていない配布対象者のユーザＩＤをリスト表示するようにしてもよい。また、Ｗｅｂサーバ機能によって提供する管理者用画面で、そのような操作を受付け、その画面に同様のリスト表示を行うようにしてもよい。また、ここでいう所定のタイミングには、所定時間以上蓄積している画像データを検出したとき、あるいは、画像蓄積指令で指定した有効期限の日時の到来なども含まれる。また、音声手段を更に備えるようにして、そこから音声による報知を行う構成としてもよい。
【００３２】
図２は、実施例である端末装置の概略構成を説明するブロック図である。このクライアントマシン３は、ウインドウズ（登録商標）やリナックスなどのＯＳが稼働するワークステーションやパーソナルコンピュータなどで構成され、上記ネットワークプリンタ１を制御、管理するように設定されている。
【００３３】
すなわち、クライアントマシン３は、画像蓄積指令を生成して外部装置、つまりネットワークプリンタ１に送信する端末装置であって、ＣＰＵ等で構成される制御部３１と、外部装置と通信する通信手段３２と、ＤＲＡＭやハードディスクなどで構成され、ネットワークプリンタ用の通信プログラム３３ａ、つまりプリンタドライバを実行可能に格納する記憶手段３３と、キーボードやマウスなどで構成される操作手段３４と、液晶モニタなどで構成される表示手段３５とを備えており、制御部３１は、後述する通信プログラム３３ａを実行する。
【００３４】
上記構成を思想的に説明すれば、操作手段３４、表示手段３５は、画像蓄積指令の生成指示を受付ける生成指示受付手段、及び、１または複数の配布対象者の指定を受付ける配布対象者受付手段として機能し、通信手段３２は、画像蓄積指令を外部装置に送信する送信手段として機能し、制御部３１は、印字出力すべき画像データと配布対象者受付手段で受付けた配布対象者とを含む画像蓄積指令を生成する生成手段として機能し、更に、配布対象者受付手段で配布対象者を受付けた状態において、生成指示受付手段で生成指示を受付けた場合、画像データと配布対象者とを含む画像蓄積指令を生成手段で生成させるとともに、生成した画像蓄積指令を送信手段で送信するように制御する制御手段としても機能する。
【００３５】
そして、通信プログラム３３ａは、画像蓄積指令を生成して外部装置に送信するためのプログラムであって、１または複数の配布対象者を指定して生成指示を受付けた場合、印字出力すべき画像データと配布対象者とを含む画像蓄積指令を生成するとともに、生成した画像蓄積指令を外部装置に送信するように制御する。そして更に、配布対象者の指定時には、ネットワークプリンタ１と通信することによって、そこに登録されているユーザのリストを要求し、返信されてきた登録ユーザリストを一覧表示して、そこから配布対象者を選択させる配布対象者選択支援機能を備えていてもよい。
【００３６】
次いで、上記ネットワークプリンタ１、クライアントマシン３を相互に接続したシステムを図に従って説明する。図３は、その一例を示すシステム図である。
【００３７】
このシステムＳでは、ネットワークＮによって、１台のネットワークプリンタ１と、３台のクライアントマシン３が相互に接続されているが、通信プロトコルは特に限定されず、例えば、ＴＣＰ／ＩＰ、ＩＰＸなどを利用してもよい。
【００３８】
このシステムＳで、基本的な印字処理は、クライアントマシン３が、印字出力すべき画像データを含む画像印字指令を生成してネットワークプリンタ１に送信し、ネットワークプリンタ１は、その画像印字指令に従って、その画像データを印字出力するという手順によってなされるが、以下では、画像蓄積指令を用いる予約印刷の手順について、フローチャートを参照しながら説明する。
【００３９】
図４は、本発明の特徴である、画像データの配布対象者を指定した予約印刷の処理手順を説明する概略フローチャートで、ネットワークプリンタ１、クライアントマシン３の動作を互いに関連させて示している。また、図５は、その基本動作の中で呼出される予約印刷画面の例を示している。
【００４０】
このフローチャートに従って説明すると、ネットワークプリンタ１では、事前に、管理者が各ユーザのユーザＩＤを登録し、各ユーザは、そのユーザＩＤに対応させて自分の指紋データを記憶させている（ステップ１０１）。
【００４１】
その後、ユーザはいずれかのクライアントマシン３で、所望のアプリケーションを操作して、画像データを作成し、その画像を複数の配布対象者に配布するために、アプリケーションのメニューから、図５に示すような予約印刷画面を呼出す（ステップ３０１、３０２）。
【００４２】
予約印刷画面４は、アプリケーションソフトウェアから、ネットワークプリンタ１に対応した通信プログラム３３ａを呼出すことにより表示されるもので、使用するプリンタを選択するプリンタ欄４１と、印刷範囲を指定する印刷範囲欄４２と、印刷部数を指定する印刷部数欄４３と、配布対象者を指定する配布リスト欄４４とで構成されている。
【００４３】
予約印刷を行うため、プリンタ欄４１では、ネットワークプリンタ１を選択する必要がある。また、「プロパティ」ボタンを操作すれば、画質設定、記録紙サイズ設定等のオプション選択画面（図示なし）が表示される。
【００４４】
配布リスト欄４４では、ネットワークプリンタ１に登録されている各ユーザのユーザＩＤが、登録ユーザリストとして表示されているが、これは、通信プログラム３３ａの制御によって、ネットワークプリンタ１に、登録ユーザリスト要求信号が送信され、ネットワークプリンタ１が、その要求に応じて登録ユーザを検索し、その検索結果を登録ユーザリストとして返信したものの一覧表示である。
【００４５】
この登録ユーザリストから所望のユーザＩＤを選択して、「＞＞」ボタンを操作すれば、選択したユーザＩＤを配布対象ユーザリストに追加することができる。また、配布対象ユーザリストから任意のユーザＩＤを選択して、「＜＜」ボタンを操作すれば、選択したユーザＩＤをそこから削除することもできる。また、ユーザＩＤ入力欄にユーザＩＤをタイプ入力してから、「＋」ボタンを操作すれば、そのユーザＩＤが配布対象ユーザリストに追加される。もちろん、配布対象ユーザリストに自分自身のユーザＩＤを含めてもよい（ステップ３０３、１０２）。
【００４６】
そして「ＯＫ」ボタンを操作すると、オプションデータ、配布リストに設定したユーザＩＤ、印刷範囲で指定した画像データ（複数ページを含む）を含む画像蓄積指令が生成され、ネットワークプリンタ１に送信される（ステップ３０４、３０５）。
【００４７】
ネットワークプリンタ１は、その画像蓄積指令を受付けると、そこに含まれている画像データを蓄積し、更に、配布対象者のユーザＩＤを判別して、画像データに対応させて記憶し、その後、印字操作されるまで待機する（ステップ１０３、１０４）。
【００４８】
その後、ユーザが印字操作を行う際には、ユーザＩＤ、指紋の入力を要求し、それらが入力されると、入力されたユーザＩＤ、指紋を、ユーザ登録手段１６に登録しているものと比較対照する。その結果、認証が成功した場合には、そのユーザを配布対象者としている画像データを検索し、そのような画像データを全て抽出して印字出力する。従って、複数の画像蓄積指令で、特定のユーザが配布対象者として指定されていても、そのユーザは、１回の印字操作をするだけで、全ての画像データを印字出力させることができる。なお、認証が失敗した場合には、その印字操作を無効として、エラーを通知し、何も印字出力しない。なお、ユーザ認証では、指紋の入力だけを要求し、そのユーザのＩＤを、ユーザ登録手段１６を参照して自動判別する構成としてもよい（ステップ１０５〜１０８）。
【図面の簡単な説明】
【００４９】
【図１】本発明による画像形成装置の概略構成を説明するブロック図。
【図２】本発明による端末装置の概略構成を説明するブロック図。
【図３】画像形成装置と端末装置とを有するネットワークを説明するシステム図。
【図４】配布対象者を指定した印字処理の基本動作を説明する概略フローチャート。
【図５】配布対象者を指定する操作画面の例。
【符号の説明】
【００５０】
１      画像形成装置
１１    制御部（制御手段、記憶制御手段）
１２    認証手段（ユーザ特定手段）
１３    表示操作手段（印字操作受付手段）
１５    通信手段（蓄積指令受付手段）
１６    ユーザ登録手段
１７    画像蓄積手段
１８    計時手段
３      端末装置
３１    制御部（生成手段、制御手段）
３２    通信手段（送信手段）
３３ａ  通信プログラム
３４、３５    操作手段、表示手段（生成指示受付手段、配布対象者受付手段）
【図１】
0004479673.tif 000002
【図２】
0004479673.tif 000003
【図３】
0004479673.tif 000004
【図４】
0004479673.tif 000005
【図５】
0004479673.tif 000006